(57)【要約】【課題】筐体に設けられる静電容量スイッチが枠体に収まった状態においても操作可能として、操作性を向上させる。【解決手段】筐体１・２と、その筐体１に回転可能に結合されて筐体１・２を部分的に覆うことが可能な枠体３と、を備える筐体構造であって、筐体２に、枠体３から当該筐体２が離間した状態、及び枠体３の内方に当該筐体２が収まった状態のいずれの状態においても操作可能なタッチ式操作部６を備える。そのタッチ式操作部６は、静電容量式のスイッチパッド６ｂであり、筐体２の側面に実装されている。そして、筐体２は長方形状で、タッチ式操作部６は長方形状の筐体２の長手側の側面の少なくとも一方に実装されている。【選択図】図２
2017049388.tif 000002
【特許請求の範囲】
【請求項１】
筐体と、
前記筐体に回転可能に結合されて前記筐体を部分的に覆うことが可能な枠体と、を備える筐体構造であって、
前記筐体に、前記枠体から当該筐体が離間した状態、及び前記枠体の内方に当該筐体が収まった状態のいずれの状態においても操作可能なタッチ式操作部を備えることを特徴とする筐体構造。
【請求項２】
前記タッチ式操作部は、静電容量式のスイッチパッドであり、前記筐体の側面に実装されていることを特徴とする請求項１に記載の筐体構造。
【請求項３】
前記筐体は長方形状で、
前記タッチ式操作部は前記長方形状の筐体の長手側の側面の少なくとも一方に実装されていることを特徴とする請求項２に記載の筐体構造。
【請求項４】
前記筐体の厚みは前記枠体の幅よりも厚く、
前記筐体が前記枠体の内方に収まった状態において、前記枠体から前記筐体の側面の一部が露出していることを特徴とする請求項２または３に記載の筐体構造。
【請求項５】
前記タッチ式操作部は、前記枠体から露出している部分においても操作可能なように前記筐体の側面に実装されていることを特徴とする請求項４に記載の筐体構造。
【請求項６】
前記タッチ式操作部は、前記筐体の側面の内部に実装されていることを特徴とする請求項２から５のいずれか一項に記載の筐体構造。
【請求項７】
前記筐体は、第１のブロックと、前記第１のブロックに回転可能に結合されて前記タッチ式操作部を実装する第２のブロックと、から構成され、
前記枠体は、前記第１のブロックに回転可能に結合されて前記第１のブロック及び第２のブロックを部分的に覆うことが可能で、
前記タッチ式操作部は、前記枠体から前記第２のブロックが離間した状態、及び前記枠体の内方に前記第２のブロックが収まった状態のいずれにおいても前記枠体から露出していることを特徴とする請求項１から６のいずれか一項に記載の筐体構造。
【請求項８】
前記第１のブロックは撮影レンズを備え、
前記第２のブロックは表示部を備えることを特徴とする請求項７に記載の筐体構造。
【請求項９】
請求項１から７のいずれか一項に記載の筐体構造を備えることを特徴とする電子機器。
【請求項１０】
請求項８に記載の筐体構造を備えることを特徴とする撮像装置。
【発明の詳細な説明】
【技術分野】
【０００１】
本発明は、筐体を部分的に覆う回転可能な枠体を備える筐体構造と、その筐体構造を備える電子機器と、撮像装置に関する。
【背景技術】
【０００２】
カメラにおいて、レンズ部と表示部の周囲を回転可能なグリップ部を設け、ユーザーに従来のカメラより格段に撮影自由度を向上させたものがある（特許文献１参照）。
そして、特許文献１のフリースタイル及び自撮りを主用途にしたカメラでは、ユーザーがグリップ部を開いて表示部のみを持って操作する使い方もある。
その場合、表示部の側面に静電容量スイッチを実装することができれば、操作性をさらに向上させることができる。
【先行技術文献】
【特許文献】
【０００３】
【特許文献１】特開２０１２−１３３０６１号公報
【発明の概要】
【発明が解決しようとする課題】
【０００４】
しかし、特許文献１のレンズ部と表示部を覆うグリッブ部を有するカメラにおいて、表示部の側面に静電容量スイッチを実装した場合であっても、そのグリップ部を閉じた際は、表示部の側面に設けられる静電容量スイッチがグリップ部で隠されて、表示部側面の静電容量スイッチを使用できない問題がある。
【０００５】
本発明の課題は、筐体に設けられる静電容量スイッチが枠体に収まった状態においても操作可能として、操作性を向上することである。
【課題を解決するための手段】
【０００６】
以上の課題を解決するため、本発明は、
筐体と、
前記筐体に回転可能に結合されて前記筐体を部分的に覆うことが可能な枠体と、を備える筐体構造であって、
前記筐体に、前記枠体から当該筐体が離間した状態、及び前記枠体の内方に当該筐体が収まった状態のいずれの状態においても操作可能なタッチ式操作部を備えることを特徴とする。
【発明の効果】
【０００７】
本発明によれば、筐体に設けられる静電容量スイッチが枠体に収まった状態においても操作可能として、操作性を向上することができる。
【図面の簡単な説明】
【０００８】
【図１】本発明を適用した電子機器の一実施形態の構成を示すもので、カメラの筐体と枠体を閉じた状態を示した斜視図（ａ）と、その筐体と枠体を開いた状態の図（ｂ）である。
【図２】図１のタッチ式操作部を透視状態で示した図（ａ）（ｂ）である。
【図３】図２の表示ブロックを反対側から見た拡大透視図である。
【図４】図３のタッチ式操作部のスイッチパッド及びメイン基板を示した図（ａ）と、そのスイッチパッド及び電子部品の拡大図（ｂ）である。
【図５】図１（ａ）の矢印Ａ−Ａ線に沿った拡大断面図である。
【発明を実施するための形態】
【０００９】
以下、図を参照して本発明を実施するための形態を詳細に説明する。
以下の実施形態においては、本発明を適用した電子機器の一実施形態として、筐体と枠体を備えたカメラを例にして説明する。
【００１０】
（実施形態）
図１は本発明を適用した電子機器の一実施形態の構成としてカメラの筐体と枠体の関係を示すもので、１はレンズブロック、２は表示ブロック、３はグリップブロック、４は撮影レンズ、５は表示部であり、本実施形態においては、レンズブロック１と表示ブロック２を筐体、グリップブロック３を枠体とする。
【００１１】
図示のように、本カメラは、レンズブロック１、表示ブロック２、グリップブロック３の三ブロックに分かれている。
そして、撮影レンズ４を中央に備えるレンズブロック１に対して、表示部５を一面に備える表示ブロック２が、図示しない第１ヒンジで接続されて、そのヒンジ軸を中心に回転可能となっている。
また、レンズブロック１に対して、レンズブロック１及び表示ブロック２を囲む形状の枠体であるグリップブロック３が、図示しない第２ヒンジで接続されて、第１ヒンジ軸と直交する第２ヒンジ軸を中心に回転可能となっており、筐体であるレンズブロック１と表示ブロック２が枠体であるグリップブロック３に収まった状態（図１（ａ））、及び筐体であるレンズブロック１と表示ブロック２が枠体であるグリップブロック３から離間した状態（図１（ｂ））をとることができる。
【００１２】
実施形態において、カメラは自撮りを主な撮影方法とするカメラであり、レンズブロック１及び表示ブロック２に対しグリップブロック３を開いて、表示ブロック２を持って撮影するユーザーも多く、この表示ブロック２にタッチ式操作部６（図２以降参照）が実装されている。
【００１３】
ここで、筐体は、正面視において、レンズブロック１が底面に対し両側面が直角な略五角形状で、その幅に略連続して表示ブロック２が長方形状に形成されている。
また、筐体は、側面視において、レンズブロック１が厚く、その幅に略連続して表示ブロック２のレンズブロック１と反対側にかけて徐々に薄くなっていく略楔形状に形成されている。
【００１４】
また、グリップブロック３は、金属製で正面視略Ｕ形状に形成されており、その正面視略Ｕ形状の両端がレンズブロック１の側面にヒンジ結合されている。
さらに、グリップブロック３は、側面視において、レンズブロック１及び表示ブロック２の外側に位置する厚さが薄く形成されていて、このグリップブロック３の幅も、レンズブロック１側端部が最も厚くて表示ブロック２側にかけて徐々に薄くなっていく略楔形状に形成されている。
【００１５】
そして、図１（ａ）に示すように、レンズブロック１及び表示ブロック２の周囲にグリップブロック３を閉じた状態において、表示ブロック２の表示部５側の側面がグリップブロック３から外部に露出した状態になる。
【００１６】
図２は表示ブロック２側面のタッチ式操作部６を透視状態で示したもので、図示のように、表示ブロック２の側面内部に、フレキシブル基板（以下、ＦＰＣと呼ぶ）６ａに静電スイッチパッド６ｂを複数個（図示例では３個）並べたタッチ式操作部６が実装されている。
すなわち、タッチ式操作部６は静電容量方式で、ＦＰＣ６ａ上の静電スイッチパッド６ｂ表面上から一定距離内の指の有無（静電容量変化）を検知し、ホスト側へスイッチ信号を出力する。
【００１７】
このように、表示ブロック２側面に設けたタッチ式操作部６は、図２（ａ）に示すように、レンズブロック１及び表示ブロック２の周囲にグリップブロック３を閉じた状態において、グリップブロック３から外部に露出している。
【００１８】
図３は表示ブロック２を反対側から見た透視状態を拡大したもので、図４はタッチ式操作部６の静電スイッチパッド６ｂ及びメイン基板７を示しており、図示のように、タッチ式操作部６は、ＦＰＣ６ａの一端に延びるコネクタ挿入部６ｃをメイン基板７上にコネクタ７ｃで挿入して電気的接続される。
図示例では、ＦＰＣ６ａのコネクタ挿入部６ｃの近傍に電子部品６ｄが搭載されている。
【００１９】
図５は図１（ａ）の矢印Ａ−Ａ線に沿った拡大断面を示し、図示のように、タッチ式操作部６のＦＰＣ６ａを、表示ブロック２を構成する樹脂ケース２ａの内側面に対し、両面テープ８で樹脂ケース２ａの形状に沿って貼り付ける。
そして、タッチ式操作部６は、静電容量方式で周辺及び直近に金属が存在すると正確に動作しないため、金属製のフレーム２ｂから必要分離して実装する。
【００２０】
以上において、タッチ式操作部６は、両面テープ８で貼り付けられた樹脂ケース２ａの外面を複数の静電スイッチパッド６ｂに沿ってスライドすることにより、表示部５の画面のメニュー送りをしたり、タップで決定し、また、スライドすることで、撮影レンズ４のズーム等を行うことができる。
なお、表示ブロック２の樹脂ケース２ａの外表面には、内部に実装したタッチ式操作部６の複数の静電スイッチパッド６ａの位置に対応した印や表記等が設けられている。
【００２１】
以上のように、レンズブロック１及び表示ブロック２に対しグリップブロック３を開いている時は勿論のこと、グリップブロック３を閉じた状態においても、表示ブロック２側面のタッチ式操作部６を使用することができる。
【００２２】
また、グリップブロック３を閉じている時は、グリップブロック３がタッチ式操作部６よりも外側にグリップブロック３が出っ張っているため、タッチ式操作部６が誤操作しにくい。
【００２３】
そして、タッチ式操作部６を表示ブロック２側面に設けたため、例えばグリップブロック３にタッチ式操作部６を配置する場合に比べ、グリップブロック３が薄型化できる。
また、タッチ式操作部６の配線がグリップブロックの回転軸を通過しないので、グリップブロック３の回転への制約にならず、コストも抑えることができる。
【００２４】
以上、実施形態のカメラの筐体構造によれば、グリップブロック３から表示ブロック２が離間した状態、及びグリップブロック３の内方に表示ブロック２が収まった状態のいずれの状態においても操作可能なタッチ式操作部６を表示ブロック２の一側面に備えている。
従って、表示ブロック２側面のタッチ式操作部６を、グリップブロック３から表示ブロック２が離間した状態、及びグリップブロック３の内方に表示ブロック２が収まった状態のいずれの状態においても操作可能として、操作性を向上することができる。
【００２５】
（変形例）
以上の実施形態においては、カメラとしたが、本発明はこれに限定されるものではなく、カメラを備える携帯電話など他の電子機器であってもよい。
また、実施形態では、２軸ヒンジで回動する筐体の構成としたが、１軸ヒンジで回動する筐体の構成でよく、あるいはヒンジの無い筐体でもよい。
さらに、その他、具体的な細部構造等についても適宜に変更可能であることは勿論である。
【００２６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
筐体と、
前記筐体に回転可能に結合されて前記筐体を部分的に覆うことが可能な枠体と、を備える筐体構造であって、
前記筐体に、前記枠体から当該筐体が離間した状態、及び前記枠体の内方に当該筐体が収まった状態のいずれの状態においても操作可能なタッチ式操作部を備えることを特徴とする筐体構造。
＜請求項２＞
前記タッチ式操作部は、静電容量式のスイッチパッドであり、前記筐体の側面に実装されていることを特徴とする請求項１に記載の筐体構造。
＜請求項３＞
前記筐体は長方形状で、
前記タッチ式操作部は前記長方形状の筐体の長手側の側面の少なくとも一方に実装されていることを特徴とする請求項２に記載の筐体構造。
＜請求項４＞
前記筐体の厚みは前記枠体の幅よりも厚く、
前記筐体が前記枠体の内方に収まった状態において、前記枠体から前記筐体の側面の一部が露出していることを特徴とする請求項２または３に記載の筐体構造。
＜請求項５＞
前記タッチ式操作部は、前記枠体から露出している部分においても操作可能なように前記筐体の側面に実装されていることを特徴とする請求項４に記載の筐体構造。
＜請求項６＞
前記タッチ式操作部は、前記筐体の側面の内部に実装されていることを特徴とする請求項２から５のいずれか一項に記載の筐体構造。
＜請求項７＞
前記筐体は、第１のブロックと、前記第１のブロックに回転可能に結合されて前記タッチ式操作部を実装する第２のブロックと、から構成され、
前記枠体は、前記第１のブロックに回転可能に結合されて前記第１のブロック及び第２のブロックを部分的に覆うことが可能で、
前記タッチ式操作部は、前記枠体から前記第２のブロックが離間した状態、及び前記枠体の内方に前記第２のブロックが収まった状態のいずれにおいても前記枠体から露出していることを特徴とする請求項１から６のいずれか一項に記載の筐体構造。
＜請求項８＞
前記第１のブロックは撮影レンズを備え、
前記第２のブロックは表示部を備えることを特徴とする請求項７に記載の筐体構造。
＜請求項９＞
請求項１から７のいずれか一項に記載の筐体構造を備えることを特徴とする電子機器。
＜請求項１０＞
請求項８に記載の筐体構造を備えることを特徴とする撮像装置。
【符号の説明】
【００２７】
１  第１のブロック（筐体）
２  第２のブロック（筐体）
２ａ  樹脂ケース
２ｂ  フレーム
３  枠体
４  撮影レンズ
５  表示部
６  タッチ式操作部
６ａ  フレキシブル基板
６ｂ  静電スイッチパッド
６ｃ  コネクタ挿入部
６ｄ  電子部品
７  メイン基板
７ｃ  コネクタ
８  両面テープ
【図１】
2017049388.tif 000003
【図２】
2017049388.tif 000004
【図３】
2017049388.tif 000005
【図４】
2017049388.tif 000006
【図５】
2017049388.tif 000007